(57)【要約】【課題】  帯電部材に付着しているトナーを回収する。【解決手段】  画像形成装置において、転写装置と帯電装置との間に配置されて調整部材と、像坦持面を第１の方向とは逆の第２の方向に移動させる反転手段と、像坦持面が第２の方向に移動するとき、帯電装置には帯電部材に付着している画像形成用粉体を像坦持面に向かって移動させる第１のバイアスを加え、調整部材には画像形成用粉体を調整部材に向かって移動させる第２のバイアスを加える。【選択図】図１
2006201536.tif 000002
【特許請求の範囲】
【請求項１】
像坦持体と、上記像坦持体の像坦持面に当接し又は微小間隔をあけて対向して上記像坦持面を帯電する帯電手段と、上記帯電された像坦持面に静電潜像を形成する静電潜像形成手段と、上記静電潜像に画像形成用粉体を電気的に付着させて可視像化する現像手段と、上記像坦持面に付着した画像形成用粉体を転写材に転写する転写手段を備え、画像形成時、上記像坦持面を第１の方向に移動させて上記帯電手段、静電潜像形成手段、現像手段、転写手段との対向領域を順次通過させる画像形成装置において、
上記転写手段と上記帯電手段との間に配置されて上記像坦持面に対向する調整部材と、
上記像坦持面を上記第１の方向とは逆の第２の方向に移動させる反転移動手段と、
上記像坦持面が上記第２の方向に移動するとき、上記帯電手段には上記帯電手段に付着している画像形成用粉体を上記像坦持面に向かって移動させる第１のバイアスを加え、上記調整部材には上記帯電手段から上記像坦持体に移動した上記画像形成用粉体を上記調整部材に向かって移動させる第２のバイアスを加えるバイアス手段を備えたことを特徴とする画像形成装置。
【請求項２】
上記反転移動手段を、上記像坦持面が上記帯電手段との対向領域から上記調整部材との対向領域まで移動する時間以上駆動させる制御手段を備えたことを特徴とする請求項１に記載の画像形成装置。
【請求項３】
像坦持体と、上記像坦持体の像坦持面に当接し又は微小間隔をあけて対向して上記像坦持面を帯電する帯電手段と、上記帯電された像坦持面に静電潜像を形成する静電潜像形成手段と、上記静電潜像に画像形成用粉体を電気的に付着させて可視像化する現像手段と、上記像坦持面に付着した画像形成用粉体を転写材に転写する転写手段を備え、画像形成時、上記像坦持面を第１の方向に移動させて上記帯電手段、静電潜像形成手段、現像手段、転写手段との対向領域を順次通過させる画像形成装置において、
上記転写手段と上記帯電手段との間に配置されて上記像坦持面に接触する調整部材と、
上記像坦持面を上記第１の方向とは逆の第２の方向に移動させる反転移動手段と、
上記像坦持面が上記第２の方向に移動するとき、上記帯電手段には上記帯電手段に付着している画像形成用粉体を上記像坦持面に向かって移動させる第１のバイアスを加え、上記調整部材には上記調整部材に付着している画像形成用粉体を上記像坦持面に向かって移動させる第２のバイアスを加え、上記転写手段には上記帯電手段と上記調整部材から上記像坦持体に移動した上記画像形成用粉体を上記転写手段に向かって移動させる第３のバイアスを加えるバイアス手段を備えたことを特徴とする画像形成装置。
【請求項４】
上記反転移動手段を、上記像坦持面が上記帯電手段との対向領域から上記調整部材との対向領域を通過して上記転写手段との対向領域まで移動する時間以上駆動させる制御手段を備えたことを特徴とする請求項３に記載の画像形成装置。
【発明の詳細な説明】
【技術分野】
【０００１】
本発明は、電子写真方式の画像形成装置に関する。
【背景技術】
【０００２】
画像形成装置として、外周面に像坦持面を有する円筒状又は無端ベルト状の静電潜像坦持体を備え、この静電潜像坦持体の周囲に帯電装置、露光装置、現像装置、転写装置を配置し、帯電装置によって帯電された静電潜像坦持体表面に画像を露光して静電潜像を形成し、該静電潜像を粉体現像剤で可視像化し、そして、可視像化された現像剤像を転写部材又は紙などのシート材料に転写する、電子写真方式の複写機やプリンタが広く利用されている。このような電子写真式の画像形成装置では、静電潜像坦持体に付着した粉体現像剤はその殆どが被転写材やシート材料に転写される。しかし、一部の粉体現像剤は転写材に転写されず、静電潜像坦持体に残存する。したがって、多くの電子写真式画像形成装置では、静電潜像坦持体の近傍に独立した回収装置（クリーナ）を設け、この回収装置で未転写現像剤を回収して廃棄している。しかし、環境保全や資源の有効利用の観点からすると、現像剤を廃棄することは望ましいことではない。そこで、近年、未転写現像剤を再び現像装置に回収して再利用する、いわゆるクリーナレス式画像形成装置が提案されて実用化されている。ところが、クリーナレス式画像形成装置にあっては、未転写現像剤が帯電装置の対向部を通過していく。したがって、帯電装置として接触帯電型帯電装置を用いた場合、この接触帯電型帯電装置に未転写現像剤が付着して堆積し、この堆積した未転写現像剤が静電潜像坦持体の帯電不良を招いたり、画像形成装置の内部を汚染するという問題がある。
【０００３】
この問題を解消するために、例えば、特許文献１には、接触帯電部材の清掃部材を設け、この清掃部材で接触帯電部材を清掃することが提案されている。しかし、この画像形成装置では、時間の経過と共に清掃部材が汚れてその清掃能力が低下するという問題がある。また、清掃部材の清掃不良が静電潜像坦持体の帯電不良を招き、画質の低下を招くという問題がある。このような問題を解消するために、清掃部材に付着した現像剤を定期的に静電潜像坦持体から現像装置に回収する方法が考えられるが、回収された現像剤により現像装置内の状態が変化し、それが画質に悪影響を及ぼす。例えば、トナーとキャリアを用いた二成分現像剤の場合、それらトナーとキャリアの比率が一時的に変化して画像上に被りが表れる。
【特許文献１】特開２００３−２７０９０８号公報
【発明の開示】
【発明が解決しようとする課題】
【０００４】
そこで、本発明は、未転写現像剤の回収に伴う以上の問題を解消し、長期に亘って良好な画像が得られる画像形成装置を提供することを目的とする。
【課題を解決するための手段】
【０００５】
この目的を達成するため、本発明の第１の形態は、像坦持体と、上記像坦持体の像坦持面に当接し又は微小間隔をあけて対向して上記像坦持面を帯電する帯電手段と、上記帯電された像坦持面に静電潜像を形成する静電潜像形成手段と、上記静電潜像に画像形成用粉体を電気的に付着させて可視像化する現像手段と、上記像坦持面に付着した画像形成用粉体を転写材に転写する転写手段を備え、画像形成時、上記像坦持面を第１の方向に移動させて上記帯電手段、静電潜像形成手段、現像手段、転写手段との対向領域を順次通過させる画像形成装置において、上記転写手段と上記帯電手段との間に配置されて上記像坦持面に対向する調整部材と、上記像坦持面を上記第１の方向とは逆の第２の方向に移動させる反転移動手段と、上記像坦持面が上記第２の方向に移動するとき、上記帯電手段には上記帯電手段に付着している画像形成用粉体を上記像坦持面に向かって移動させる第１のバイアスを加え、上記調整部材には上記帯電手段から上記像坦持体に移動した上記画像形成用粉体を上記調整部材に向かって移動させる第２のバイアスを加えるバイアス手段を備えたことを特徴とする。
【０００６】
この形態はさらに、上記反転移動手段を、上記像坦持面が上記帯電手段との対向領域から上記調整部材との対向領域まで移動する時間以上駆動させる制御手段を備えていることが好ましい。
【０００７】
本発明の第１の形態は、像坦持体と、上記像坦持体の像坦持面に当接し又は微小間隔をあけて対向して上記像坦持面を帯電する帯電手段と、上記帯電された像坦持面に静電潜像を形成する静電潜像形成手段と、上記静電潜像に画像形成用粉体を電気的に付着させて可視像化する現像手段と、上記像坦持面に付着した画像形成用粉体を転写材に転写する転写手段を備え、画像形成時、上記像坦持面を第１の方向に移動させて上記帯電手段、静電潜像形成手段、現像手段、転写手段との対向領域を順次通過させる画像形成装置において、  上記転写手段と上記帯電手段との間に配置されて上記像坦持面に接触する調整部材と、上記像坦持面を上記第１の方向とは逆の第２の方向に移動させる反転移動手段と、上記像坦持面が上記第２の方向に移動するとき、上記帯電手段には上記帯電手段に付着している画像形成用粉体を上記像坦持面に向かって移動させる第１のバイアスを加え、上記調整部材には上記調整部材に付着している画像形成用粉体を上記像坦持面に向かって移動させる第２のバイアスを加え、上記転写手段には上記帯電手段と上記調整部材から上記像坦持体に移動した上記画像形成用粉体を上記転写手段に向かって移動させる第３のバイアスを加えるバイアス手段を備えたことを特徴とする。
【０００８】
この形態はさらに、上記反転移動手段を、上記像坦持面が上記帯電手段との対向領域から上記調整部材との対向領域を通過して上記転写手段との対向領域まで移動する時間以上駆動させる制御手段を備えていることが好ましい。
【発明の効果】
【０００９】
このように構成された画像形成装置によれば、像坦持体の周囲に配置されている帯電部材や調整部材に付着している画像形成用粉体を適宜回収してそれらの部材をリフレッシュすることができる。その結果、帯電部材や調整部材は安定して本来の機能を達成することができる。
【発明を実施するための最良の形態】
【００１０】
〔構成〕
図１は、電子写真方式による画像形成装置の画像形成プロセスを説明するための図である。図示する画像形成装置１０において、感光体（静電潜像坦持体）１２は円筒体からなり、外周に感光体層（像坦持面）１４を備えている。図２に示すように、画像形成装置１０の駆動系１００は、駆動制御部１０２と、駆動制御部１０２によって回転・停止が制御されるモータ１０４を備えている。感光体１２は回転切換部（反転移動手段）１０６を介してモータ１０４に駆動連結されており、駆動制御部１０２から回転切換部１０６に出力される信号を切り換えることによって、後に説明する画像形成モード時は感光体１２の回転方向を正方向（第１の方向：矢印１０８方向）に設定し、同様に後に説明する調整モード時は感光体１２の回転方向を逆方向（第２の方向：図５に示す矢印１１０方向）に切り換えることができるようにしてある。
【００１１】
図１に戻り、感光体１２の周囲には、正方向（矢印１０８方向）に沿って順番に、帯電領域１６、露光領域１８、現像領域２０、転写領域（一次転写領域）２２、調整領域２４が配置されており、それぞれの領域において帯電装置（帯電手段）２６、露光装置（静電潜像形成手段）２８、現像装置（現像手段）３０、転写装置（転写手段）３２、調整装置（調整手段）３４が感光体層１４に対向している。
【００１２】
帯電装置２６は、画像形成時に感光体層１４の表面を所定電位に帯電させるもので、筒状の帯電ローラ（帯電部材）３６を備えている。帯電ローラ３６は、その外周面を感光体層１４に接触させて配置されている。したがって、感光体１２が正方向（矢印１０８方向）に回転すると帯電ローラ３６は矢印３８方向に回転し、逆に、感光体１２が逆方向（矢印１１０方向）に回転すると帯電ローラ３６は矢印３８’方向（図５参照）に回転する。図３に示すように、帯電ローラ３６は、電源装置２００に帯電バイアス制御部２０２を介して接続されており、画像形成モード時と調整モード時にそれぞれ所定の帯電バイアス電圧Ｖｃ、Ｖｃ’が供給されるようにしてある。
【００１３】
図１に戻り、露光装置２８は、画像形成装置１０で再現される画像に対応した光を、帯電ローラ３６で帯電された感光体層１４に露光して静電潜像を形成する光学部４０（レーザ光学部）を備えている。実施の形態では、感光体層１４上で再現される画像（例えば、文字画像における文字部分）に対応する箇所に光が露光され、露光された箇所（静電潜像画像部）の電位が所定の電位（ほぼゼロボルト）まで減衰される。
【００１４】
現像装置３０は、現像領域２０で感光体層１４に対向する現像ローラ４２を備えている。現像ローラ４２の外周面は、荷電性トナー４４を含む現像剤を保持している。図２に示すように、現像ローラ４２はモータ１０４に連結されており、画像形成モード時、図１の矢印４６で示す方向に回転するようにしてある。また、図３に示すように、現像ローラ４２は電源装置２００に現像バイアス制御部２０４を介して接続されており、画像形成モード時に所定の現像バイアス電圧Ｖｓが供給されるようにしてある。
【００１５】
図１に戻り、転写装置３２は、転写領域２２を通過する無端状の転写ベルト（現像剤坦持体）４８と、転写ベルト４８の背後に配置された転写ローラ（電荷付与部材）５０を有し、転写ローラ５０が転写ベルト４８を介して感光体層１４に圧接している。したがって、感光体１２が正方向（矢印１０８方向）に回転すると転写ベルト４８と転写ローラ５０はそれぞれ矢印５２，５４方向に回転し、逆に、感光体１２が逆方向（矢印１１０方向）に回転すると転写ベルト４８と転写ローラ５０はそれぞれ逆方向（図５に矢印５２’，５４’で示す方向）に回転する。転写ベルト４８は、図示しない複数のローラに支持されて回転自在としてあり、その回転移動経路近傍に転写装置（二次転写装置）５６とクリーニング装置５８が配置されている。図３に示すように、転写ローラ５０は、電源装置２００と転写バイアス制御部２０６を介して接続されており、画像形成モード時と調整モード時にそれぞれ所定の転写バイアス電圧Ｖｔ、Ｖｔ’が供給されるようにしてある。
【００１６】
図１に戻り、調整装置３４は、ブラシロールからなる調整ブラシ（調整部材）６０を備えている。調整ブラシ６０は、外周のブラシ先端が感光体層１４と接触するように配置されており、図２に示すように、感光体１２と同様に、回転切換部１０６を介してモータ１０４に駆動連結されており、画像形成モード時は正方向（第１の方向：矢印６２方向）に回転し、調整モード時は逆方向（第２の方向：図５に示す矢印６２’方向）に切り換えることができるようにしてある。図３に示すように、調整ブラシ６０は電源装置２００と調整バイアス制御部２０８を介して接続されており、画像形成モード時と調整モード時にそれぞれ所定の調整バイアス電圧Ｖｒ、Ｖｒ’が供給されるようにしてある。
【００１７】
〔画像形成モード〕
画像形成モード時、図１に示すように、モータ１０４の駆動に基づき、感光体１２が矢印１０８方向に回転する。帯電装置２６では、帯電ローラ３６が感光体１２との接触に基づいて矢印３８方向に回転する。電源装置２００は、帯電バイアス制御部２０２を通じて帯電ローラ３６に所定の帯電バイアス電圧Ｖｃを供給する。その結果、帯電領域１６を通過していく感光体層１４を所定の電位Ｖｃ（帯電バイアス電圧Ｖｃにほぼ等しい。）に帯電する。実施の形態において、帯電バイアス電圧Ｖｃの極性は、トナー４４の帯電極性と同一であり、負極性である。
【００１８】
露光装置２８は、感光体層１４の帯電領域に画像を露光し、静電潜像を形成する。静電潜像において、画像が露光された部分（静電潜像画像部）の表面電位Ｖo（ほぼゼロボルト）まで減衰し、画像が露光されなかった部分（静電潜像非画像部）はほぼ帯電時の表面電位Ｖｃを維持する。
【００１９】
現像装置３０は、現像ローラ４２が負極性に帯電したトナー４４を保持している。また、現像ローラ４２には、電源装置２００から現像バイアス制御部２０４を介して所定の現像バイアス電圧Ｖｂが供給される。現像バイアス電圧Ｖｂの極性は負極性であり、その電圧は静電潜像非画像部の電位Ｖｃよりも低い。したがって、現像ローラ４２に保持されている負極性トナー４４は、感光体層１４の静電潜像画像部に電気的に吸引されて付着し、再現すべき画像のトナー像が形成される。
【００２０】
転写装置３２では、転写ベルト４８が、モータ１０４の駆動に基づいて矢印５２方向に回転移動しながら転写領域２２を通過していく。また、転写ローラ５０は矢印５４方向に回転する。このとき、転写ローラ５０は電源装置２００から転写バイアス制御部２０６を介して転写バイアス電圧Ｖｔが供給される。転写バイアス電圧Ｖｔの極性は正極性である。その結果、転写ローラ５０から転写ベルト５０に正極性の電荷が注入される。そして、正極性の電荷が注入された転写ベルト５０は、転写領域２２を通過する感光体層１４に保持されている負極性トナー４４を電気的に吸引して該転写ベルト５０の外周面に保持する。転写ベルト５０の外周面に保持されたトナー４４は、転写装置５６で用紙などのシート材料６４に転写される。
【００２１】
一次転写領域２２を通過した感光体層１４は調整領域２４に移動する。このとき調整装置３４の調整ブラシ６０には電源装置２００から調整バイアス制御部２０８を介して調整バイアス電圧Ｖｒが供給される。調整バイアス電圧Ｖｒの極性は負極性である。その結果、調整ブラシ６０に接触する感光体層１４の表面に残る静電潜像（残像）が電気的に乱されて均される。また、均一な表面電位に調整された感光体層１４は、帯電領域１６を通過する際に均一に帯電される。
【００２２】
感光体層１４に保持されているトナーは、その殆どが一次転写領域２２で感光体層１４から転写ベルト４８に移動する。しかし、一部のトナーは、転写ベルト４８に転写されず、感光体層１４に残る。同様に、転写ベルト４８に保持されているトナーも、その殆どがシート材料６４に転写されるが、一部は転写されずに転写ベルト４８に残る。後者の転写ベルト４８に残ったトナーは、クリーニング装置５８で回収される。一方、前者の感光体層１４に残ったトナーは調整領域２４に搬送され、そこで調整ブラシ６０に回収される。例えば、残留トナーの中には、目的の極性（負極性）に帯電しているトナーだけでなく、逆の極性（正極性）に帯電しているトナーも存在する。また、目的の極性（負極性）に帯電しているトナーも、帯電量の多いものから少ないものまで種々存在する。これらのトナーは、調整領域２４で調整ブラシ６０に回収され、該調整ブラシ６０に供給されている負極性の電荷が注入される。その結果、帯電量の少ない負極性トナーは所望の帯電量まで負電荷が注入され、正極性に帯電していたトナーも負極性に帯電される。このようにして荷電調整されたトナーは、適宜感光体層１４に放出されて保持される。感光体層１４に再び保持されたトナーは、感光体層１４の移動と共に帯電領域１６に進入する。このとき、帯電ローラ３６には負極性の電圧が供給されている。したがって、感光体層１４に保持されている負極性トナー４４が電気的に帯電ローラ３６に吸着することは殆どない。その後、帯電領域１６を通過した負極性トナー４４は、現像領域２０で現像ローラ４２の外周面に保持されている現像剤との物理的接触により、または現像剤に含まれている正極性荷電粒子（キャリア）との電気的吸引力により、現像ローラ４２に回収される。
【００２３】
〔リフレッシュモード〕
上述のように、一次転写領域２２で感光体層１４から転写ベルト４８に転写されなかったトナー４４の殆どは、調整ブラシ６０で荷電調整された後、現像領域２０で現像装置３０に回収される。しかし、極一部のトナーは、逆極性（正極性）の電荷を維持したまま、調整ブラシ６０から放出されることなくそこに残存する。また、調整ブラシ６０で完全に荷電調整されず、正電荷を保持したまま調整ブラシ６０から放出されたトナーは、帯電領域１６で帯電ローラ３６に付着する。そして、調整ブラシ６０や帯電ローラ３６に保持された正極性トナーの量が多くなると、帯電ローラ３６の帯電機能や調整ブラシ６０の荷電調整機能が低下する。そのため、本発明に係る画像形成装置では、以下に説明するように、リフレッシュモード時、帯電ローラ３６や調整ブラシ６０に保持されているトナーを回収する。
【００２４】
〔実施例１〕
図４に示す実施例１のリフレッシュモードは、帯電ローラ３６に付着しているトナー（特に正極性に帯電しているトナー）を調整ブラシ６０に回収するもので、画像形成モードの終了直後に実行される。リフレッシュモードがスタートすると、駆動制御部１０２は回転切換部１０６を駆動し、感光体１２の回転方向を逆方向（図１に点線で示す矢印１１０方向）に切り換える。このとき同時に、調整ブラシ６０も逆転する。また、帯電バイアス制御部２０２と調整バイアス制御部２０８が帯電ローラ３６と調整ブラシ６０に供給する帯電バイアス電圧と調整バイアス電圧をそれぞれＶｃ’、Ｖｒ’に変更する。具体的に、リフレッシュモード時、帯電ローラ３６には、帯電バイアス電圧Ｖｃ’として、正極性の電圧（例えば、＋１００ボルト〜＋３００ボルト）と負極性の電圧（例えば、−１００ボルト〜−３００ボルト）が所定の周期で交互に供給される。また、調整ブラシ６０には、画像形成モード時の調整バイアス電圧Ｖｒと同極性で且つこの調整バイアス電圧Ｖｒよりも電圧の高い調整バイアスＶｒ’が供給される。これにより、帯電ローラ３６に保持されている正極性トナーは、周期的に変化する帯電バイアス電圧Ｖｃ’によって形成される交番電界によって振動し、帯電ローラ３６から感光体層１４に放出される。感光体層１４に保持された正極性トナーは、調整領域２４で、負極性で高圧の調整バイアス電圧Ｖｒ’が供給されている調整ブラシ６０の電気的吸着作用と、該調整ブラシ６０との物理的な接触に基づく掻き取り作用によって、調整ブラシ６０に回収される。調整ブラシ６０に回収された正極性トナーは、負極性で高圧の調整バイアス電圧Ｖｒ’から負極性の電荷が注入されて荷電調整される。この荷電調整されたトナー４４は、次の画像形成モード時に感光体層１４に放出され、現像装置３０に回収される。なお、リフレッシュモードの動作時間ｔは、帯電ローラ３６に保持されているトナーを調整ブラシ６０に回収する必要から、リフレッシュモード開始時に帯電領域１６に存在していた感光体層部分が調整領域２４まで移動する時間以上とする。好ましくは、帯電ローラ３６の周囲からすべての正極性トナーを回収するために、リフレッシュモードの動作時間ｔは、感光体１４上の点が帯電領域１６から調整領域２４に移動する時間と帯電ローラ３６が一回転する時間の合計時間以上とするのが好ましい。
【００２５】
〔実施例２〕
図５に示す実施例２のリフレッシュモードは、帯電ローラ３６と調整ブラシ６０に付着しているトナー（特に、正極性に帯電しているトナー）を転写装置３２に回収するもので、画像形成モードの終了直後に実行される。リフレッシュモードがスタートすると、駆動制御部１０２は回転切換部１０６を駆動し、感光体１２の回転方向を逆方向（図１に点線で示す矢印１１０方向）に切り換える。また、帯電バイアス制御部２０２と調整バイアス制御部２０８が帯電ローラ３６と調整ブラシ６０に供給する帯電バイアス電圧と調整バイアス電圧をそれぞれＶｃ’、Ｖｒ’に変更する。具体的に、リフレッシュモード時、帯電ローラ３６には、帯電バイアス電圧Ｖｃ’として、正極性の電圧（例えば、＋１００ボルト〜＋３００ボルト）と負極性の電圧（例えば、−１００ボルト〜−３００ボルト）が所定の周期で交互に供給される。同様に、調整ブラシ６０にも、調整バイアスＶｒ’として、正極性の電圧（例えば、＋１００ボルト〜＋３００ボルト）と負極性の電圧（例えば、−１００ボルト〜−３００ボルト）が所定の周期で交互に供給される。また、転写ローラ５０には、負極性の転写バイアスＶｔ’が供給される。これにより、帯電ローラ３６と調整ブラシ６０に保持されている正極性トナーは、周期的に変化する帯電バイアス電圧Ｖｃ’と調整バイアス電圧Ｖｒ’によって形成される交番電界によって振動し、帯電ローラ３６とから感光体層１４に放出される。感光体層１４に保持された正極性トナーは、転写領域２２で、負極性の転写バイアス電圧Ｖｔ’が供給されている転写ベルト４８に電気的に吸引されて回収される。転写ベルト４８に回収されたトナーは、リフレッシュモードの動作中転写ベルト４８に保持されており、その後画像形成モードの実行時にクリーニング装置５８の対向領域に搬送され、そこでクリーニング装置５８に回収される。なお、リフレッシュモードの動作時間ｔは、帯電ローラ３６に保持されているトナーを転写領域２２まで搬送する必要から、リフレッシュモード開始時に帯電領域１６に存在していた感光体層部分が転写領域２２まで移動する時間以上とする。また、好ましくは、その動作時間は、リフレッシュモード開始時に帯電領域１６に存在していた感光体層部分が転写領域２２まで移動する時間と帯電ローラ３６又は調整ブラシ６０が一回転する時間を加えた合計時間以上とすることが好ましい。
【００２６】
〔変形例〕
上述した実施例では、帯電装置２６における帯電部材として帯電ローラ３６を用いているが、調整ブラシ６０と同様のブラシローラを用いてもよいし、非回転式の帯電部材を用いてもよい。また、帯電部材は感光体層１４に接触している必要はなく、微小の隙間をあけて感光体層に対向するように配置してもよい。非接触状態に配置された帯電部材の場合、帯電部材と感光体層との電位差に基づいてトナーが帯電部材に付着することがあり、この付着したトナーが上述の実施形態で説明した方法により感光体に放出され、調整ブラシ又は転写ベルトに回収され得る。
【００２７】
調整装置３４の調整部材も同様で、調整部材として回転式のローラ、固定式の部材（例えば、ブラシ）を用いることができる。
【００２８】
上述の実施例では、転写装置３２を転写ベルト４８と転写ローラ５０で構成し、感光体１２上に形成されたトナー像をいったん転写ベルト４８に一次転写し、その後シート材料に二次転写するものとしたが、転写装置３２を転写ローラ５０で構成し、転写領域２２でシート材料にトナー像を転写してもよい。
【００２９】
以上の説明では、画像形成モードの終了直後にリフレッシュモードを実行するものとしたが、リフレッシュモードは画像形成モードとは無関係に実行してもよい。また、実施例１のリフレッシュモード（リフレッシュモード１）と実施例２のリフレッシュモード（リフレッシュモード２）を組み合わせて実行してもよい。例えば、一方のリフレッシュモード終了直後に他方のリフレッシュモードを実行してもよいし、リフレッシュモード１，２を交互に繰り返してもよい。
【図面の簡単な説明】
【００３０】
【図１】本発明に係る画像形成装置の主要な構成を模式的に示した断面図。
【図２】図１に示す画像形成装置の駆動系の構成を示す図。
【図３】図１に示す画像形成装置の電源装置とバイアス制御部を示す図。
【図４】リフレッシュモード１を説明するタイムチャート。
【図５】リフレッシュモード時の動作を示す図。
【図６】リフレッシュモード１を説明するタイムチャート。
【図７】リフレッシュモード時の動作を示す図。
【符号の説明】
【００３１】
１０：画像形成装置、１２：感光体（静電潜像坦持体）、１４：感光体層（像坦持面）、１６：帯電領域、１８：露光領域、２０：現像領域、２２：転写領域（一次転写領域）、２４：調整領域、２６：帯電装置、２８：露光装置、３０：現像装置、３２：転写装置、３４：調整装置、３６：帯電ローラ、４０：光学部、４２：現像ローラ、４４：トナー、４６：矢印方向、４８：転写ベルト、５０：転写ローラ、５６：転写装置（二次転写装置）、５８：クリーニング装置、６０：調整ブラシ、６４：シート材料、１００：駆動系、１０２：駆動制御部、１０４：モータ、１０６：回転切換部（反転移動手段）、１０８：正方向（第１の方向）、１１０：逆方向（第２の方向）、２００：電源装置、２０２：帯電バイアス制御部、２０４：現像バイアス制御部、２０６：転写バイアス制御部、２０８：調整バイアス制御部。
【図１】
2006201536.tif 000003
【図２】
2006201536.tif 000004
【図３】
2006201536.tif 000005
【図４】
2006201536.tif 000006
【図５】
2006201536.tif 000007
【図６】
2006201536.tif 000008
【図７】
2006201536.tif 000009